(57)【要約】【課題】書き初めの際の初筆かすれを十分に抑制することが可能な筆記具用Ｗ／Ｏ型エマルションインキ組成物及びそれを用いた筆記具を提供すること。【解決手段】油性成分中に水性成分が分散された筆記具用Ｗ／Ｏ型エマルションインキ組成物であって、油性成分が植物油及びリン酸エステルを含有し、油性成分及び水性成分の少なくとも一方が着色剤を含有する、筆記具用Ｗ／Ｏ型エマルションインキ組成物１２、及び当該インキ組成物１２を有する筆記具１００。【選択図】図１
2010222440.tif 000002
【特許請求の範囲】
【請求項１】
油性成分中に水性成分が分散された筆記具用Ｗ／Ｏ型エマルションインキ組成物であって、
前記油性成分が植物油及びリン酸エステルを含有し、前記油性成分及び前記水性成分の少なくとも一方が着色剤を含有する、筆記具用Ｗ／Ｏ型エマルションインキ組成物。
【請求項２】
前記植物油がひまし油を含む、請求項１記載の筆記具用Ｗ／Ｏ型エマルションインキ組成物。
【請求項３】
前記油性成分に含有される前記着色剤が油溶性染料を含む、請求項１又は２記載の筆記具用Ｗ／Ｏ型エマルションインキ組成物。
【請求項４】
前記リン酸エステルの含有量が０．０４〜３質量％である、請求項１〜３のいずれか一項に記載の筆記具用Ｗ／Ｏ型エマルションインキ組成物。
【請求項５】
前記植物油の含有量が０．９〜１０．０質量％である、請求項１〜４のいずれか一項に記載の筆記具用Ｗ／Ｏ型エマルションインキ組成物。
【請求項６】
請求項１〜５のいずれか一項に記載の筆記具用Ｗ／Ｏ型エマルションインキ組成物を有する筆記具。
【発明の詳細な説明】
【技術分野】
【０００１】
本発明は、筆記具用Ｗ／Ｏ型エマルションインキ組成物及び筆記具に関する。
【背景技術】
【０００２】
ボールペン等の筆記具用のインキとしては、水性インキ及び油性インキが一般的であるが、近年、油性成分中に水性成分を分散させたＷ／Ｏ型エマルションインキが検討されている。一般に、油性インキは書き味が重くなる傾向があり、水性インキは筆記線の乾燥が遅く紙面を汚しやすい傾向がある。これに対し、Ｗ／Ｏ型エマルションインキは、良好な書き味と筆記線の乾燥性との両方を満足するインキとして注目されている（例えば、特許文献１参照）。
【先行技術文献】
【特許文献】
【０００３】
【特許文献１】特許第３０９０４２５号
【発明の概要】
【発明が解決しようとする課題】
【０００４】
しかしながら、Ｗ／Ｏ型エマルションインキは、水性インキ及び油性インキに比べて、書き始めの際のインキの吐出性を良好にすることが難しいという事情がある。上記特許文献１に記載されたＷ／Ｏ型エマルションインキも、その点を十分に改善するものではなく、初筆かすれの発生を十分に抑制することができなかった。
【０００５】
本発明は上記事情に鑑みてなされたものであり、書き初めの際の初筆かすれを十分に抑制することが可能な筆記具用Ｗ／Ｏ型エマルションインキ組成物及びそれを用いた筆記具を提供することを目的とする。
【課題を解決するための手段】
【０００６】
本発明では、油性成分中に水性成分が分散された筆記具用Ｗ／Ｏ型エマルションインキ組成物であって、油性成分が植物油及びリン酸エステルを含有し、油性成分及び水性成分の少なくとも一方が着色剤を含有する、筆記具用Ｗ／Ｏ型エマルションインキ組成物を提供する。
【０００７】
上記本発明の筆記具用Ｗ／Ｏ型エマルションインキ組成物によれば、油性成分中に植物油及びリン酸エステルの双方を含有させることにより、書き始めの際のインキの吐出がスムーズになり、初筆かすれの発生を十分に抑制することができる。また、インキの吐出がスムーズになることから、筆記時のボテの発生を抑制するとともに、十分書き味に優れたものとすることができる。さらに、植物油は、ＶＯＣ（揮発性有機化合物）成分をほとんど含まないため大気汚染等の問題がなく、その上廃棄後の分解が容易であるため、環境にやさしいという利点がある。
【０００８】
本発明の筆記具用Ｗ／Ｏ型エマルションインキ組成物における植物油は、ひまし油を含むことが好ましい。植物油がひまし油を含むことにより、初筆かすれをより一層抑制することができる。また、Ｗ／Ｏ型エマルションインキ組成物の乳化安定性を向上することもできる。
【０００９】
本発明の筆記具用Ｗ／Ｏ型エマルションインキ組成物では、油性成分に含有される着色剤が油溶性染料を含むことが好ましい。これによって、油性成分からなる油滴が安定となり、インキ組成物の乳化安定性を一層良好にすることができる。
【００１０】
本発明の筆記具用Ｗ／Ｏ型エマルションインキ組成物におけるリン酸エステルの含有量は、０．０４〜３質量％であることが好ましい。このような範囲でリン酸エステルを含有することによって、初筆かすれの発生を一層抑制することが可能となる。
【００１１】
本発明の筆記具用Ｗ／Ｏ型エマルションインキ組成物における植物油の含有量は、０．９〜１０．０質量％であることが好ましい。このような範囲で植物油を含有することによって、初筆かすれの発生を一層抑制することが可能となる。
【００１２】
また、本発明では、上述の筆記具用Ｗ／Ｏ型エマルションインキ組成物を有する筆記具を提供する。かかる筆記具は、上記特徴を有するＷ／Ｏ型エマルションインキ組成物を有することから、書き始めの際のインキの吐出がスムーズで、初筆かすれの発生を十分に抑制することができる。また、インキの吐出がスムーズになることから、筆記時のボテの発生が抑制されるとともに十分書き味に優れたものとなり、また耐摩耗性にも優れたものとなる。
【発明の効果】
【００１３】
本発明によれば、書き初めの際の初筆かすれを十分に抑制することが可能な筆記具用Ｗ／Ｏ型エマルションインキ組成物及びそれを用いた筆記具を提供することができる。
【図面の簡単な説明】
【００１４】
【図１】本発明の筆記具の一実施形態であるボールペンを示す模式断面図である。
【発明を実施するための形態】
【００１５】
以下、場合により図面を参照して、本発明の好適な実施形態について説明する。
【００１６】
本実施形態の筆記具用Ｗ／Ｏ型エマルションインキ組成物は、油性成分中に水性成分が分散された筆記具用Ｗ／Ｏ型エマルションインキ組成物であって、上記油性成分が植物油及びリン酸エステルを含有し、上記油性成分及び上記水性成分の少なくとも一方が着色剤を含有するものである。以下、本実施形態のＷ／Ｏ型エマルションインキ組成物（以下、単に「インキ組成物」ということもある。）を構成する各成分について説明する。
【００１７】
油性成分は、植物油を含有する。植物油としては、例えば、ひまし油、アボカド油、サフラワー油、ローズヒップ油、ピスタチオナッツ油、マカデミアンナッツ油、メドウフォーム油、クランベアビシニカ油、ビャクダン抽出油、キハダ樹皮抽出油、オオムギ抽出油、アルガン油、ホホバ油、ヤシ油、オリーブ油、綿実油等を用いることができる。これらは１種を単独で又は２種以上を組み合わせて用いることができる。
【００１８】
植物油は、初筆かすれの発生を十分に抑制する観点から、ひまし油、ピスタチオナッツ油、クランベアビシニカ油及びアルガン油から選ばれる少なくとも一種を含有することが好ましい。また、植物油は、ひまし油を含有することによって、初筆かすれを一層低減することとともに、乳化安定性に優れたインキ組成物とすることができる。
【００１９】
植物油の含有量は、インキ組成物全量を基準として、好ましくは１〜１０．０質量％であり、より好ましくは１〜５．０質量％である。この含有量が１質量％未満であると、含有量が上記範囲内である場合と比較して、初筆かすれの抑制効果が低下する傾向があり、１０．０質量％を超えると、含有量が上記範囲内である場合と比較して、インキ組成物の乳化安定性が損なわれる傾向がある。植物油の含有量を、１〜５．０質量％とすることによって、初筆かすれを十分に抑制しつつ乳化安定性に優れたインキ組成物とすることができる。
【００２０】
油性成分は、上述した植物油に加えて、リン酸エステルを含有する。リン酸エステルは、リン酸とアルコールを脱水縮合することによって得ることができる。本実施形態では、市販されている一般的なリン酸エステルを用いることが可能であり、リン酸モノエステル、リン酸ジエステル及びリン酸トリエステルのいずれも用いることができる。
【００２１】
リン酸エステルの酸価は、好ましくは５０〜２００であり、より好ましくは６０〜１５０である。酸価が５０〜２００のリン酸エステルを用いることによって、初筆かすれの発生を一層十分に抑制しつつ耐磨耗性に優れたインキ組成物とすることができる。
【００２２】
リン酸エステルのｐＨは、好ましくは１〜６、より好ましくは１．５〜３である。ｐＨが上記範囲であるリン酸エステルを用いることによって、筆記具のチップの耐摩耗性に優れるインキ組成物とすることができる。また、リン酸エステルのＨＬＢは、好ましくは４〜１４、より好ましくは５〜１３である。ＨＬＢが上記範囲であるリン酸エステルを用いることによって、乳化安定性に一層優れたインキ組成物とすることができる。
【００２３】
リン酸エステルの含有量は、インキ組成物全量を基準として、好ましくは０．０５〜３質量％であり、より好ましくは０．０５〜１質量％であり、さらに好ましくは０．３〜０．９質量％である。この含有量が０．０５質量％未満であると、含有量が上記範囲内である場合と比較して、初筆かすれの抑制効果が低下する傾向があり、３質量％を超えると、含有量が上記範囲内である場合と比較して、インキの乳化安定性が損なわれる傾向がある。リン酸エステルの含有量を、０．０５〜１質量％とすることによって、初筆かすれを十分に抑制しつつ乳化安定性に優れたインキ組成物とすることができる。また、リン酸エステルの含有量を、０．０５〜０．９質量％とすることによって、さらにボテの発生が一層抑制されたインキ組成物とすることができる。
【００２４】
油性成分は、着色剤として、油溶性染料を含有することが好ましい。これによって、油性成分からなる油滴が安定となり、インキ組成物の乳化安定性を一層良好にすることができる。油溶性染料としては公知のものを特に制限なく使用することができる。このような油溶性染料としては、例えば、直接染料、酸性染料、塩基性染料等が挙げられ、より具体的には、例えば、スピリットブラック６１Ｆ、バリファーストバイオレット１７０１、バリファーストバイオレット１７０４、バリファーストイエロー１１０９、バリファーストブルー１６０５、バリファーストブルー１６２１、バリファーストブルー１６２３、バリファーストレッド１３２０、バリファーストレッド１３６０、バリファーストレッド２３２０（以上、オリヱント化学工業株式会社製）、アイゼンスピロンブラックＧＭＨスペシャル、アイゼンスピロンバイオレットＣ−ＲＨ、アイゼンスピロンイエローＣ−ＧＨ  ｎｅｗ、アイゼンスピロンブルーＣ−ＲＨ、アイゼンスピロンＳ．Ｐ．Ｔ．  ブルー−１１１、アイゼンスピロンＳ．Ｐ．Ｔ．  ブルー−１２１（以上、保土谷化学工業株式会社製）等が挙げられる。これらは１種を単独で又は２種以上を組み合わせて用いることができる。油溶性染料を用いることにより、筆跡を濃く明瞭なものとすることができる。
【００２５】
油溶性染料の含有量は、インキ組成物全量を基準として、好ましくは５．０〜４０．０質量％であり、より好ましくは１０．０〜３０．０質量％であり、さらに好ましくは２０〜３０質量％である。この含有量が５．０質量％未満であると、含有量が上記範囲内である場合と比較して、筆跡の明瞭さが低下する傾向があり、４０．０質量％を超えると、含有量が上記範囲内である場合と比較して、インキ組成物の粘度が高くなり、書き味が低下するとともに、経時的に油溶性染料の析出が生じやすくなる傾向がある。
【００２６】
油性成分は、上述の成分以外に、従来のインキ組成物の油性成分として用いられる成分を含有していてもよい。例えば、油性成分は、極性溶剤を含有していてもよい。極性溶剤としては、インキ組成物に使用される極性溶剤を特に制限なく使用することができる。かかる極性溶剤としては、例えば、エチレングリコールモノフェニルエーテル（フェニルグリコール）、プロピレングリコールモノフェニルエーテル、プロピレングリコールジプロピレングリコールモノメチルエーテル、ジプロピレングリコールモノエチルエーテル、ジプロピレングリコールモノブチルエーテル、トリプロピレングリコールモノメチルエーテルなどのグリコールエーテル類、ベンジルアルコール、エチレングリコール、トリエチレングリコール、プロピレングリコール、ポリエチレングリコールなどのアルコール類等が挙げられる。これらは１種を単独で又は２種以上を組み合わせて用いることができる。
【００２７】
極性溶剤の含有量は、インキ組成物全量を基準として、好ましくは２０．０〜６０．０質量％であり、より好ましくは３０．０〜５０．０質量％である。この含有量が２０．０質量％未満であると、含有量が上記範囲内である場合と比較して、粘度が高くなり書き味が損なわれる傾向があり、６０．０質量％を超えると、含有量が上記範囲内である場合と比較して、インキの乳化安定性が損なわれる傾向がある。
【００２８】
油性成分は、添加剤を含んでいてもよい。添加剤としては、例えば、粘度調整剤（樹脂等）、潤滑剤、顔料、酸化防止剤等が挙げられる。
【００２９】
上記粘度調整剤としては、例えば、ケトン樹脂、スルフォアミド樹脂、マレイン樹脂、キシレン樹脂、アミド樹脂、アルキド樹脂、フェノール樹脂、ロジン樹脂、テルペン樹脂、ブチラール樹脂等を使用することができる。
【００３０】
上記潤滑剤としては、例えば、オレイン酸などの高級脂肪酸や上記リン酸エステルとは異なるリン酸エステル系の潤滑剤等を使用することができる。
【００３１】
上記顔料としては、例えば、カーボンブラック、不溶性アゾ系、アゾレーキ系、縮合アゾ系、ジケトピロロピロール系、フタロシアニン系、キナクリドン系、アントラキノン系、ジオキサジン系、インジゴ系、チオインジゴ系、キノフタロン系、スレン系、イソインドリノン系などの一般的な有機顔料等を使用することができる。
【００３２】
本実施形態のインキ組成物において、水性成分は、少なくとも水と着色剤とを含むことが好ましい。ここで、水の含有量は、インキ組成物全量を基準として５．０〜３０．０質量％であることが好ましく、１０．０〜２０．０質量％であることがより好ましい。この含有量が５．０質量％未満であると、含有量が上記範囲内である場合と比較して、書き味が低下する傾向があり、３０．０質量％を超えると、含有量が上記範囲内である場合と比較して、経時安定性が低下する傾向がある。
【００３３】
着色剤としては、公知のものを特に制限なく使用することができ、顔料及び染料のいずれも使用可能である。顔料としては、例えば、カーボンブラック、不溶性アゾ系、アゾレーキ系、縮合アゾ系、ジケトピロロピロール系、フタロシアニン系、キナクリドン系、アントラキノン系、ジオキサジン系、インジゴ系、チオインジゴ系、キノフタロン系、スレン系、イソインドリノン系などの一般的な有機顔料等を使用することができる。これらは１種を単独で又は２種以上を組み合わせて用いることができる。顔料を用いることにより、筆跡を濃く明瞭なものとすることができるとともに、筆跡の耐光性を十分なものとすることができる。
【００３４】
また、染料としては、例えば、直接染料、酸性染料、塩基性染料などの水溶性染料を使用することができる。このうち、直接染料としては、カラーインデックスナンバーで示すと、カラーインデックス（以降、Ｃ．Ｉ．と略称）Ｄｉｒｅｃｔ  Ｂｌａｃｋ  １７、同１９、同３８、同１５４、Ｃ．Ｉ．  Ｄｉｒｅｃｔ  Ｙｅｌｌｏｗ  １、同４、同１２、同２９、Ｃ．Ｉ．  Ｄｉｒｅｃｔ  Ｏｒａｎｇｅ  ６、同８、同２６、同２９、Ｃ．Ｉ．  Ｄｉｒｅｃｔ  Ｒｅｄ  １、同２、同４、同１３、Ｃ．Ｉ．  Ｄｉｒｅｃｔ  Ｂｌｕｅ  ２、同６、同１５、同７８、同８７などが挙げられる。また、酸性染料としては、Ｃ．Ｉ．  Ａｃｉｄ  Ｂｌａｃｋ  ２、同３１、Ｃ．Ｉ．  Ａｃｉｄ  Ｙｅｌｌｏｗ  ３、同１７、同２３、同７３、Ｃ．Ｉ．  Ａｃｉｄ  Ｏｒａｎｇｅ  １０、Ｃ．Ｉ．  Ａｃｉｄ  Ｒｅｄ  １３、同１４、同１８、同２７、同５２、同７３、同８７、同９２、Ｃ．Ｉ．  Ａｃｉｄ  Ｂｌｕｅ  １、同９、同７４、同９０などが挙げられる。また、塩基性染料としては、Ｃ．Ｉ．  Ｂａｓｉｃ  Ｙｅｌｌｏｗ  ２、同３、Ｃ．Ｉ．  Ｂａｓｉｃ  Ｒｅｄ  １、同２、同８、同１２、Ｃ．Ｉ．  Ｂａｓｉｃ  Ｖｉｏｌｅｔ  １、同３、同１０、Ｃ．Ｉ．  Ｂａｓｉｃ  Ｂｌｕｅ  ５、同９、同２６などが挙げられる。これらは１種を単独で又は２種以上を組み合わせて用いることができる。
【００３５】
水性成分における着色剤の含有量は、インキ組成物全量を基準として、好ましくは０．５〜１０．０質量％であり、より好ましくは１．０〜５．０質量％である。この含有量が０．５質量％未満であると、含有量が上記範囲内である場合と比較して、筆記線の明瞭さが損なわれる傾向があり、１０．０質量％を超えると、含有量が上記範囲内である場合と比較して、書き味及びインキ組成物の乳化安定性が損なわれる傾向がある。
【００３６】
水性成分中に着色剤として顔料を含有させる場合、水性成分は、顔料分散剤を更に含むことが好ましい。このような顔料分散剤としては、上記顔料を分散可能なものであれば特に制限されず、例えば、アクリル酸又はそのエステル、メタクリル酸又はそのエステル、マレイン酸又はそのエステルなどの１種を、単独で重合させるか、或いは、スチレン、アクリロニトリル、酢酸ビニルなどと共重合させた樹脂を、アルカリ金属やアミンで中和して水溶性にした水溶性樹脂や、アニオン系界面活性剤、ノニオン系界面活性剤等が挙げられる。これらの中でも水溶性樹脂が好ましく、具体的にはスチレン−マレイン酸共重合体が特に好ましい。これらは１種を単独で又は２種以上を組み合わせて用いることができる。顔料分散剤を用いることにより、経時的に顔料の沈降や凝集が生じることを抑制することができ、良好な経時安定性を得ることができる。
【００３７】
顔料分散剤の含有量は、インキ組成物全量を基準として０．１〜５．０質量％であることが好ましく、０．５〜３．０質量％であることがより好ましい。この含有量が０．１質量％未満であると、含有量が上記範囲内である場合と比較して、経時的に顔料の沈降や凝集が生じやすくなる傾向があり、５．０質量％を超えると、含有量が上記範囲内である場合と比較して、インキ組成物の粘度が高くなり書き味が低下する傾向がある。
【００３８】
また、水性成分は、潤滑剤を更に含むことが好ましい。このような潤滑剤としては、例えば、ポリアルキレングリコール誘導体、脂肪酸塩、ノニオン系界面活性剤、リン酸エステルなどが挙げられる。リン酸エステルは、油性成分に含まれるものと同一でも異なっていてもよい。これらの中でも脂肪酸塩が好ましく、具体的にはオレイン酸カリウムが特に好ましい。これらは１種を単独で又は２種以上を組み合わせて用いることができる。潤滑剤を用いることにより、顔料等によるボール受け座の摩耗を一層抑制することができる。
【００３９】
潤滑剤の含有量は、インキ組成物全量を基準として、好ましくは０．１〜５．０質量％である。この含有量が０．１質量％未満であると、含有量が上記範囲内である場合と比較して、ボール受け座の摩耗抑制効果が低下する傾向があり、５．０質量％を超えると、含有量が上記範囲内である場合と比較して、インキ組成物の経時安定性が低下する傾向がある。
【００４０】
また、水性成分は、上記材料以外に更に他の添加剤を含んでいてもよい。かかる添加剤としては、例えば、防錆剤、防菌剤、保湿剤、ｐＨ調整剤等が挙げられる。
【００４１】
上記防錆剤としては、例えば、ベンゾトリアゾール、トリルトリアゾール、リン酸オクチル、イミダゾール、ベンゾイミダゾール、エチレンジアミン四酢酸塩などを使用することができる。
【００４２】
上記防菌剤としては、例えば、ペンタクロロフェノールナトリウム、安息香酸ナトリウム、ソルビン酸カリウム、デヒドロ酢酸ナトリウム、１，２−ベンゾイソチアゾリン−３−オン、２，４−チアゾリルベズイミダゾール、パラオキシ安息香酸エステルなどを使用することができる。
【００４３】
上記保湿剤としては、例えば、尿素、チオ尿素、エチレン尿素などを使用することができる。
【００４４】
上記ｐＨ調整剤としては、例えば、トリエタノールアミン、ジエタノールアミン、モノエタノールアミン、アンモニア水、水酸化ナトリウム、水酸化カリウム、炭酸ナトリウム、炭酸水素ナトリウムなどを使用することができる。
【００４５】
本実施形態のインキ組成物は、上述した油性成分と水性成分とを混合することにより、油性成分中に水性成分からなる水滴が分散されたＷ／Ｏ型エマルションインキとして得ることができる。
【００４６】
本発明のインキ組成物において、油性成分と水性成分との含有量の比（油性成分：水性成分）は、質量比で５：５〜８：２の範囲内であることが好ましく、６：４〜７：３の範囲内であることがより好ましい。油性成分の比率が上記範囲よりも大きくなると、通常の油性インキに近い状態となって書き味が低下するとともに、インキの泣き出しや紙面へのボタ等が生じやすくなる傾向がある。一方、油性成分の比率が上記範囲よりも小さくなると、経時安定性が低下するともに、筆跡のかすれが生じやすくなる傾向がある。
【００４７】
油性成分と水性成分との混合は、例えば、ディゾルバー、ヘンシェルミキサー、ホモミキサーなどの攪拌機を用いて行うことができる。攪拌条件は特に制限されないが、例えばディゾルバー攪拌機を用いて、回転数１００〜１０００ｒｐｍで３０〜１８０分間攪拌することにより、水性成分からなる水滴が油性成分中に均一に分散されたＷ／Ｏ型エマルションインキを形成することができる。
【００４８】
また、本実施形態のインキ組成物は、コーンＣＰ４０を用い、温度２５℃、せん断速度０．７５ｓ−１の条件で測定される粘度が、３００〜２５００ｍＰａ・ｓであることが好ましく、５００〜１５００ｍＰａ・ｓであることがより好ましい。粘度が３００ｍＰａ・ｓ未満であると、静置状態におけるインキ組成物の漏れ（ダレ）が生じやすくなり、経時安定性が低下する傾向にあり、２５００ｍＰａ・ｓを超えると、書き味が低下する傾向にある。
【００４９】
次に、上述の筆記具用Ｗ／Ｏ型エマルションインキ組成物を用いた筆記具の好適な実施形態について説明する。
【００５０】
図１は、本発明の筆記具の一実施形態であるボールペンを示す模式断面図である。図１に示すボールペン１００において、筆記具用Ｗ／Ｏ型エマルションインキ組成物１２はインキ収容管１４内に充填されている。インキ収容管１４の一端側にはボールペンチップ２０が取り付けられている。このボールペンチップ２０は、ボールホルダー２４及びボール２６で構成され、ジョイント２２によりインキ収容管１４の一端に固定されている。また、インキ収容管１４内には、インキ組成物１２のボールペンチップ２０側と反対側に、インキ組成物１２と隣接した状態で逆流防止体１６が収容されている。ここで、逆流防止体１６は、インキ組成物１２との間に隙間が生じないように配置される。
【００５１】
また、ボールペン１００においては、インキ収容管１４、ボールペンチップ２０、インキ組成物１２及び逆流防止体１６により中芯１０が構成されており、この中芯１０が本体軸１８に装着され、更に本体軸１８の後端（ボールペンチップ２０と反対側の一端）に通気孔を有する尾栓２８が取り付けられている。
【００５２】
以下、ボールペン１００の構成要素について説明するが、インキ組成物１２以外の構成には、ボールペンに用いられる一般的な構成を適用することができる。
【００５３】
インキ収容管１４としては、ポリプロピレン、ポリエチレン、ポリエチレンテレフタラート、ナイロン、ポリアセタール、ポリカーボネートなどの樹脂、又は、金属からなるものを使用することができる。また、インキ収容管１４の形状は特に制限されず、例えば、円筒状等の形状とすることができる。
【００５４】
逆流防止体１６は、インキ組成物を流出させない機能（流出防止性）や、インキ組成物をドライアップさせない機能（密栓性）等を有するものであり、こうした機能を有する公知の逆流防止体を特に制限なく使用することができる。かかる逆流防止体１６は、例えば、基油と増稠剤とを含んで構成されている。基油としては、鉱油、ポリブテン、シリコン油、グリセリン、ポリアルキレングリコール等が挙げられる。また、増稠剤としては、金属石鹸系増稠剤、有機系増稠剤、無機系増稠剤等が挙げられる。
【００５５】
本体軸１８及び尾栓２８としては、例えば、ポリプロピレン等のプラスチック材料からなるものを使用することができる。
【００５６】
ジョイント２２としては、例えば、ポリプロピレン、ポリエチレン、ポリエチレンテレフタラート、ナイロン、ポリアセタール、ポリカーボネート等からなるものを使用することができる。
【００５７】
ボールペンチップ２０におけるジョイント２２、ボールホルダー２４及びボール２６としては、通常のボールペンに用いられているものを使用することができる。また、ボール２６の直径は０．３〜１．２ｍｍであることが好ましい。
【００５８】
本実施形態のボールペンは、上述の特徴を有するインキ組成物を用いているため、初筆かすれやボテの発生を十分に抑制することができる。また、ボール２６やボールホルダー２４のボール受け座部分の磨耗を十分に抑制することができる。
【００５９】
上述した構成を有する本実施形態のボールペン１００は、通常のボールペン等の製造方法により製造することができる。
【００６０】
以上、ボールペンの好適な実施形態について説明したが、ボールペンは上記実施形態に限定されるものではない。例えば、本実施形態のボールペンは、本体軸１８を有していなくてもよく、インキ収容管１４がそのまま本体軸となっていてもよい。更に、本実施形態に係るボールペンは、インキ収容管１４中のインキ組成物１２及び逆流防止体１６が後端（ボールペンチップ２０と反対側の一端）側から加圧された状態となるような加圧機構を有するものであってもよい。また、本実施形態に係るボールペンは、逆流防止体１６を有していなくてもよい。
【００６１】
また、本発明の筆記具は、ボールペンに限定されるものではなく、例えば筆ペンを含むマーキングペン類、又はインキ排出部に弁機構を用いた筆記具であってもよい。本発明のＷ／Ｏ型エマルションインキ組成物は、上述のような種々の筆記具に用いることができる。
【実施例】
【００６２】
以下、実施例及び比較例に基づいて本発明をより具体的に説明するが、本発明は以下の実施例に限定されるものではない。
【００６３】
（比較例１〜５、実施例１〜１５）
油性成分及び水性成分について、それぞれ別々に、下記表１及び表２に示す材料を同表に示す配合量（質量部）で配合し、往復回転式攪拌機で混合することにより調製した。なお、表１及び表２中の水性ゲルインキの組成を下記表３に示す。
【００６４】
次に、ディゾルバー攪拌機を用いて、油性成分を攪拌しながら水性成分を加え、室温（２５℃）、回転数３００ｒｐｍの条件で１時間攪拌することにより、油性成分中に水性成分からなる水滴が分散された比較例１〜５及び実施例１〜１５のＷ／Ｏ型エマルションインキ組成物を得た。
【００６５】
【表１】
2010222440.tif 000003
【００６６】
【表２】
2010222440.tif 000004
【００６７】
【表３】
2010222440.tif 000005
【００６８】
表１及び表２中の各材料の詳細は以下の通りである。
・ポリビニルピロリドン  Ｋ−９０（商品名）：日本触媒社製、曵糸性付与剤。
・ＶＡＬＩＦＡＳＴ  ＶＩＯＬＥＴ  １７０４（商品名）：オリヱント化学工業社製、油溶性染料。
・ＶＡＬＩＦＡＳＴ  ＹＥＬＬＯＷ  １１０９（商品名）：オリヱント化学工業社製、油溶性染料。
・ＳＰＩＬＩＴ  ＢＬＡＣＫ  ６１Ｆ（商品名）：オリヱント化学工業社製、油溶性染料。
・フォスファノール  ＲＬ−２１０（商品名）：東邦化学工業株式会社製、リン酸エステル系界面活性剤、酸価；９５、ｐＨ；５．４、ＨＬＢ；５．４。
・フォスファノール  ＭＬ−２２０（商品名）：東邦化学工業株式会社製、リン酸エステル系界面活性剤、酸価；１５０、ｐＨ；１．９、ＨＬＢ；１２．５。
・フォスファノール  ＲＳ−４１０（商品名）：東邦化学工業株式会社製、リン酸エステル系界面活性剤、酸価；１０５、ｐＨ；１．３、ＨＬＢ；９．０。
・フォスファノール  ＧＢ−５２０（商品名）：東邦化学工業株式会社製、リン酸エステル系界面活性剤。
・ひまし油：工１（商品名）、伊藤製油社製。
・ピスタチオナッツ油：日光ケミカルズ社製。
・グランベアビシニカ油：日光ケミカルズ社製。
・アルガン油：日光ケミカルズ社製。
【００６９】
表３中の各材料の詳細は以下の通りである。
・キサンタンガム：モナートガムＧＳ（商品名）、大日本製薬社製。
・防錆剤：コロミンＣＢ（商品名）、キレスト社製。
・防菌剤：スラウト９９Ｎ（商品名）、日本エンバイロケミカルズ社製。
・オレイン酸カリウム：ノンサールＯＫ−１（商品名）、日本油脂社製。
・顔料分散剤：ＳＭＡ１０００Ｈ  Ｓｏｌｕｔｉｏｎ（商品名）、ＳＡＲＴＯＭＥＲ社製。
【００７０】
［初筆かすれの評価］
先端にボールペンチップ（ボール径：０．７ｍｍ）を備えた図１に示すものと同様のボールペンのポリプロピレン製の円筒状インキ収容管（内径４．０ｍｍ）に、各実施例及び比較例で得られたインキ組成物を収容した。次に、そのインキ収容管内のボールペンチップとは反対側（インキ組成物の後端面側）に、上記インキ組成物と隣接するように、精製鉱油９５質量％と増稠剤（金属石鹸、エラストマー）５質量％とからなる逆流防止体を充填した。そして、ボールペンの本体軸の後端に尾栓を取り付け、ボールペンを作製した。
なお、各実施例及び比較例ごとに、８本ずつボールペンを作製した。
【００７１】
作製したボールペンについて、一度フリーハンドで筆記した後、室温（２５℃）にて１時間静置した。その後、筆記試験機を用いて筆記角度７０°、荷重１００ｇ、筆記速度４ｍ／分の条件で直線を筆記した。書き始めの筆記線を目視にて観察し、かすれて筆記された筆記線の距離（ｍｍ）を測定した。８本のボールペンについて同様の測定を行い、それぞれの測定距離の平均値を初筆かすれとした。結果を表４及び表５に示す。
【００７２】
［ボテの評価］
上述の「初筆かすれの評価」と同様にして、ボールペンを作製した。作製したボールペンを筆記試験機に取り付けて、筆記角度７０°、荷重２００ｇ、筆記速度４ｍ／分の条件でループを筆記した。筆記線を目視にて観察してボテ（ボタ）の有無を評価した。ボテが殆どなく気にならないもの「Ａ」、「Ａ」よりもボテが大きいものを「Ｂ」と評価した。結果を表４及び表５に示す。
【００７３】
［書き味の評価］
上述の「初筆かすれの評価」と同様にして、ボールペンを作製した。作製したボールペンを用いてフリーハンドで筆記し、書き味を以下の評価基準に基づいて評価した。その結果を表４及び表５に示す。
Ａ：滑らかである。
Ｂ：滑らかさが十分でなく、重い。
【００７４】
［乳化安定性の評価］
調製したインキ組成物を、光学顕微鏡（倍率：２００倍）で観察して、分散状態を観察することによって乳化安定性を評価した。光学顕微鏡による観察は、水性ゲルインキの作製直後と室温（２５℃）で２ヶ月間保管後の２回行い、以下の評価基準に基づいて評価した。
Ａ：油性成分中に水性成分が均一に分散しており、分散状態が良好である。
Ｂ：油性成分中における水性成分の分散状態がやや不均一である。
Ｃ：油性成分中における水性成分の分散状態に不均一な部分が見られる。
【００７５】
【表４】
2010222440.tif 000006
【００７６】
【表５】
2010222440.tif 000007
【００７７】
植物油とリン酸エステルとを含む実施例１〜１５は、比較例１〜５よりも初筆かすれを抑制することができた。実施例１０〜実施例１２の評価結果によれば、リン酸エステルの含有量が高くなると、ボテの発生量がやや多くなる傾向にあった。ひまし油の含有量が約９質量％と高い実施例９のインキ組成物の場合、調製直後である初期評価において、わずかに分離相が認められた。また、インキ組成物の調製から２ヶ月経過後には、水性成分が合体して大きな液滴が形成されていた。
【００７８】
リン酸エステルの含有量が約２．８質量％と高い実施例１２のインキ組成物では、調製直後である初期評価において、水性成分の液滴の大きさにばらつきが見られた。インキ組成物の調製から２ヶ月経過後には、水性成分が合体して大きな液滴が形成されていた。植物油としてピスタチオナッツ油、グランベアビシニカ油及びアルガン油をそれぞれ用いた実施例１３〜１５のインキ組成物では、調製直後である初期評価において、水性成分の液滴がわずかに凝集していた。また、室温で２ヶ月保管した後にも同様に液滴の凝集が見られた。
【符号の説明】
【００７９】
１０…中芯、１２…インキ組成物、１４…インキ収容管、１６…逆流防止体、１８…本体軸、２０…ボールペンチップ、２２…ジョイント、２４…ボールホルダー、２６…ボール、２８…尾栓、１００…ボールペン。
【図１】
2010222440.tif 000008